(57)【要約】【課題】光源が放射する光を効率よく用いる照明器具を提供する。【解決手段】照明器具１０は、光源部１と、本体２と、連結部材３とを備える。光源部１は、光源モジュール１１と、出射口１６１が形成された筐体１３とを有する。本体２は、造営材に取り付けられる第１取付部２１と、連結部材３が取り付けられる第２取付部２２とを有する。連結部材３は、第２取付部２２に取り付けられる連結板３１と、連結板３１を筐体１３に取り付ける取付具３２とを有する。取付具３２は、棒状の軸３２２と、頭部３２１とを備える。筐体１３は、連結部材３によって、出射口１６１を第２取付部２２に対向させるようにして、本体２と連結される。挿通孔３１１は、出射口１６１と第２取付部２２が対向する方向を長手方向とする長孔状に形成されている。【選択図】図１
2018045868.tif 000002
【特許請求の範囲】
【請求項１】
光源部と、本体と、連結部材とを備え、
前記光源部は、光源と、前記光源を収納し、前記光源から放射される光を外部に出射する出射口が形成された筐体とを有し、
前記本体は、造営材に取り付けられる第１取付部と、前記連結部材が取り付けられる第２取付部とを有し、
前記連結部材は、前記第２取付部に取り付けられる連結板と、前記連結板を前記筐体に取り付ける取付具とを有し、
前記取付具は、棒状の軸と、前記軸の軸方向の第１端に設けられ、かつ前記軸の直径よりも径の大きい頭部を有し、前記軸の前記軸方向の第２端側が前記筐体に保持されるように構成され、
前記連結板は、前記軸が挿通される挿通孔を有し、
前記筐体は、前記連結部材によって、前記出射口を前記第２取付部に対向させるようにして、前記本体と連結され、
前記挿通孔は、前記出射口と前記第２取付部が対向する方向を長手方向とする長孔状に形成され、
前記取付具は、前記挿通孔に挿通された前記軸の前記第２端側が前記筐体に保持されていることで、前記連結板を前記筐体に取り付けている
ことを特徴とする照明器具。
【請求項２】
前記連結板は、前記筐体の外面に取り付けられ、
前記筐体は、前記軸の前記軸方向を中心に回転するように構成され、
前記光源部は、前記筐体の外面から外部に向かって突出する規制リブをさらに備え、
前記規制リブは、前記出射口と前記第２取付部が対向しているときに前記連結板に接触して、前記筐体が一方向へ回転することを規制している
ことを特徴とする請求項１に記載の照明器具。
【請求項３】
反射板をさらに備え、
前記反射板は、第１端面の面積が第２端面の面積よりも小さい円筒状に形成され、
前記本体は、筒状に形成され、
前記反射板は、前記第１端面が前記出射口に対向するように前記本体に収納され、
前記出射口が前記第２取付部と対向する第１方向と前記軸の前記軸方向に直交する方向を第２方向とし、
前記規制リブは、前記出射口と前記第２取付部とが対向しているときに、前記軸方向から見て、前記連結板に対して、前記第２方向の一方側に形成され、
前記筐体の複数の外面のうち、前記出射口が形成されている面を出射面とし、
前記第１方向における前記出射面と前記第１端面との距離は、前記第２方向の前記一方側から前記第２方向の他方側に向かうに連れて長くなる
ことを特徴とする請求項２に記載の照明器具。
【請求項４】
前記挿通孔は、前記出射口と前記第２取付部が対向する方向を長手方向とする長孔と、前記長孔の前記長手方向に沿って、前記長孔の縁部に形成された切欠とを備える
ことを特徴とする請求項１〜３の何れか一項に記載の照明器具。
【発明の詳細な説明】
【技術分野】
【０００１】
本発明は、照明器具に関する。より詳細には、電力の供給を受けて光源からの光を出射する照明器具に関する。
【背景技術】
【０００２】
従来例として、特許文献１に記載の照明器具を例示する。特許文献１に記載の照明器具は、天井などの造営材に固定され、電源モジュールからの電力の供給を受けて、発光部から光を出射する。照明器具は、発光部を固定する筐体と、天井に固定される枠体とを備えている。筐体は、枠体に回転可能に支持されており、発光部から出射された光の照射方向を変更することができるように構成されている。
【先行技術文献】
【特許文献】
【０００３】
【特許文献１】特開２０１６−９１９５５号公報
【発明の概要】
【発明が解決しようとする課題】
【０００４】
ところで、使用者などから、特許文献１に記載されているような照明器具において、筐体と枠体との間にオプションレンズを取り付けることが要望されていた。そこで、照明器具には、筐体と枠体との間にオプションレンズが取り付けられるためのスペースが予め設けられている。
【０００５】
しかしながら、オプションレンズが当該スペースに取り付けられない場合、光源からの光が当該スペースから漏れてしまい、光源が放射する光を効率よく用いることが困難であった。
【０００６】
本発明は、上記事由に鑑みてなされており、光源が放射する光を効率よく用いることができる照明器具を提供することを目的とする。
【課題を解決するための手段】
【０００７】
本発明の照明器具は、光源部と、本体と、連結部材とを備える。前記光源部は、光源と、前記光源を収納し、前記光源から放射される光を外部に出射する出射口が形成された筐体とを有する。前記本体は、造営材に取り付けられる第１取付部と、前記連結部材が取り付けられる第２取付部とを有する。前記連結部材は、前記第２取付部に取り付けられる連結板と、前記連結板を前記筐体に取り付ける取付具とを有する。前記取付具は、棒状の軸と、前記軸の軸方向の第１端に設けられ、かつ前記軸の直径よりも径の大きい頭部を有する。前記取付具は、前記軸の前記軸方向の第２端側が前記筐体に保持されるように構成されている。前記連結板は、前記軸が挿通される挿通孔を有する。前記筐体は、前記連結部材によって、前記出射口を前記第２取付部に対向させるようにして、前記本体と連結されている。前記挿通孔は、前記出射口と前記第２取付部が対向する方向を長手方向とする長孔状に形成されている。前記取付具は、前記挿通孔に挿通された前記軸の前記第２端側が前記筐体に保持されていることで、前記連結板を前記筐体に取り付けている。
【発明の効果】
【０００８】
本発明の照明器具は、光源が放射する光を効率よく用いることができるという効果がある。
【図面の簡単な説明】
【０００９】
【図１】図１は本発明の実施形態に係る照明器具を示す左側面図である。
【図２】図２は本発明の実施形態に係る光源部を示す縦断面図である。
【図３】図３は同上の光源部を示す横断面図である。
【図４】図４は本発明の実施形態に係る本体を示す斜視図である。
【図５】図５は同上の本体を示す縦断面図である。
【図６】図６は本発明の実施形態に係る連結部材を示す斜視図である。
【図７】図７Ａは同上の照明器具を示し、オプションレンズを使用した場合の左側面図、図７Ｂは図７Ａの要部を示す左側面図である。
【図８】図８は本発明の実施形態に係るオプションレンズを示す斜視図である。
【図９】図９は同上の照明器具を示し、オプションレンズを使用した場合の別の状態を示す左側面図である。
【図１０】図１０は同上の照明器具の別の状態を示す左側面図である。
【図１１】図１１は本発明の実施形態に係る変形例の照明器具を示す左側面図である。
【発明を実施するための形態】
【００１０】
以下、本発明の実施形態に係る照明器具１０について、図面を参照して詳細に説明する。本実施形態では、天井に埋め込み配設される照明器具を例示する。ただし、本実施形態の照明器具１０は、壁など、天井以外の造営材に配設されることも可能である。なお、以下の実施形態は、本発明の実施形態の一例に過ぎず、本発明の技術的思想を逸脱しない範囲で変更してもよい。以下の説明で特に断りがない限り、図１に示す向きにおいて、上下方向、前後方向を規定する。さらに、図１に示す向きにおいて、紙面に垂直な方向を左右方向とし、手前を左、奥を右と規定する。なお、これらの向きは、使用形態を限定する趣旨ではない。
【００１１】
本実施形態の照明器具１０は、図１に示すように、下方に光を出射する照明器具である。照明器具１０は、光源部１と、本体２と、連結部材３と、反射板４とを備える。また、照明器具１０には、ユーザの要望などによって、オプションレンズ５が取り付けられる（図７Ａ参照）。
【００１２】
光源部１は、図２に示すように、光源モジュール（光源）１１と、光源ホルダ１２と、筐体１３と、レンズ１４と、放熱部１５とを備える。
【００１３】
光源モジュール１１は、図２及び図３に示すように、矩形板状に形成されるプリント配線板１１１と、プリント配線板１１１の一面に実装される複数のＬＥＤ１１２（Ｌｉｇｈｔ  Ｅｍｉｔｔｉｎｇ  Ｄｉｏｄｅ）とを有する。光源モジュール１１は、複数のＬＥＤ１１２が下向きになるように、光源ホルダ１２によって保持されている。光源モジュール１１は、電源モジュールと電気的に接続されており、電源モジュールから電力が供給されることで、光を放射するように構成されている。
【００１４】
光源ホルダ１２は、樹脂などの材料によって形成され、中央部分に光源モジュール１１を露出させるための矩形の貫通孔１２１を有する前後方向に長尺な板状の底板１２２を備える。底板１２２は、前後方向（長手方向）の両端が筐体１３の内面に沿った弧状に形成されている。また、光源ホルダ１２は、底板１２２の前後方向の両端のそれぞれから下向きに延出する突出部１２３をさらに備える。突出部１２３のそれぞれの下端には、図２に示すように、光源モジュール１１から離れる方向に延出する延部１２４が形成されている。
【００１５】
筐体１３は、アルミダイカストなどの方法によって形成される第１筐体１６と、第２筐体１７と、段部１８とを備える。第１筐体１６、第２筐体１７、及び段部１８は、一体に形成されている。第１筐体１６及び第２筐体１７は、直径の異なる円筒状に形成されている。
【００１６】
第１筐体１６は、上下方向の両端が開口され、第２筐体１７よりも直径が小さく形成されている。第２筐体１７は、上下方向の両端が開口され、径方向の中心が第１筐体１６の径方向の中心と上下方向に同軸になるように、第１筐体１６の上端に配置されている。また、筐体１３には、第１筐体１６の上端と第２筐体１７との下端とを連結する環状の段部１８が形成されている。光源ホルダ１２の延部１２４のそれぞれが段部１８の上面に配置されている。光源ホルダ１２は、例えば、突出部１２３が弾性力によって、第２筐体１７の内面に向かって押圧することで、筐体１３に保持されている。
【００１７】
第１筐体１６の下端面には、光源モジュール１１から放射された光を出射する出射口１６１が形成されている。出射口１６１は、第１筐体１６の下端面に形成された開口である。また、出射口１６１が形成されている第１筐体１６の下端面を出射面１６７とする。さらに、第１筐体１６の内面の下端縁には、径方向の中心に向かって延出するレンズ保持部１６２が全周に亘って形成されている。また、第１筐体１６の側面には、後に説明する２つの連結部材３に対応する２つのねじ孔１６３が左右方向に対向して形成されている。
【００１８】
また、第１筐体１６の外面において、各ねじ孔１６３に対して前側には、第１筐体１６の径方向の中心から離れる方向に向かって突出し、上下方向に長尺な矩形状の規制リブ１６４が形成されている（図１参照）。さらに、第１筐体１６には、後に説明するオプションレンズ５の位置を規制するガイドねじ１９が挿通される２つのねじ挿通孔１６５が下端近くに形成されている。
【００１９】
また、第１筐体１６の外面には、図１に示すように、前後方向に対向する位置に、オプションレンズ５を係止する２つの切欠部１６６が形成されている。
【００２０】
レンズ１４は、アクリルなどの透光性の材料によって円盤状に形成されている。レンズ１４の周縁は、図２に示すように、レンズ保持部１６２の上面に配置されている。つまり、レンズ１４は、第１筐体１６の出射口１６１を覆うように配置されている。レンズ１４は、光源モジュール１１から放射された光を集約して、下面１４１から光を出射するように構成されている。
【００２１】
放熱部１５は、金属材料または熱伝導率の高い樹脂材料などによって形成され、光源モジュール１１と熱的に接続されることで、光源モジュール１１で発生する熱を空中に放熱する（図２参照）。放熱部１５は、ベース１５１と、複数の放熱フィン１５２とを備える。ベース１５１は、円盤状に形成され（図３参照）、プリント配線板１１１の複数のＬＥＤ１１２が実装されている面と反対の面（上面）と接触する凸部１５３を有する。複数の放熱フィン１５２のそれぞれは、Ｌ字型の板状に形成され、板厚方向に沿って並んでベース１５１の上面に配置されている（図１参照）。
【００２２】
ベース１５１は、図１に示すように、下端の周縁から下側に向かって突出する矩形板状に形成された２つの取付板１５４を備える。２つの取付板１５４は、左右方向に対向して形成されている。２つの取付板１５４のそれぞれには、板厚方向に開口するねじ挿通孔が形成されている。２つの取付板１５４のそれぞれのねじ挿通孔に挿通されたねじ１５５が、第２筐体１７に設けられた対応するねじ孔にねじ込まれることで、放熱部１５は、筐体１３に固定される。
【００２３】
本体２は、図４に示すように、第１取付部２１と、第２取付部２２と、支持ばね２６とを備える。
【００２４】
第２取付部２２は、第１枠体２３と、第２枠体２４とを備える。
【００２５】
第１枠体２３は、アルミダイカストなどの方法によって形成されている。第１枠体２３は、上下方向の両端が開口する円筒状に形成される周壁２３１と、周壁２３１から突出する鍔部２３２とを備える。鍔部２３２は、周壁２３１の外面の下端に、全周に亘って、径方向の中心から離れる方向に突出している。また、周壁２３１の内面の下端には、図５に示すように、径方向の中心に向かう方向に延出する延部２３３が全周に亘って形成されている。
【００２６】
第２枠体２４は、アルミダイカストなどの方法によって形成されている。第２枠体２４は、図４に示すように、上下方向の両端が開口する円筒状に形成される周壁２４１と、周壁２４１から突出する突出部２４２と、連結部材３が取り付けられる固定部２５とを備える。突出部２４２は、周壁２４１の外面の上端に、全周に亘って径方向の中心から離れる方向に向かって突出している（図５参照）。図５に示すように、突出部２４２が第１枠体２３の周壁２３１に配置されている。つまり、第２枠体２４は、径方向の中心が第１枠体２３の径方向の中心と同軸になるように第１枠体２３に組み合されている。
【００２７】
２つの固定部２５は、図４に示すように、第２枠体２４の周壁２４１の上端面に形成されている。２つの固定部２５のそれぞれは、厚み方向が左右方向となる矩形板状の板部２５１と、板部２５１の前端に形成される第１支持リブ２５２と、後端に形成される第２支持リブ２５３とを備える。板部２５１には、板厚方向に、ボルト２７３が挿通されるボルト挿通孔２５４が形成されている。２つの固定部２５は、左右方向に対向し、かつボルト挿通孔２５４のそれぞれの径方向の中心が同軸になるように、第２枠体２４の周壁２４１の上端面に形成されている。２つの固定部２５のそれぞれは、ボルト２７３とナットによって連結部材３に固定される。第１支持リブ２５２は、上下方向に長尺であって、第２枠体２４の周壁２４１の径方向の中心から外側に向かって突出するように形成され、第２枠体２４の周壁２４１の上端から上向きに形成されている。第２支持リブ２５３は、上方に向かうに連れて、第１支持リブ２５２と離れる方向に形成されている。言い換えると、第２支持リブ２５３は、上下方向に対して、例えば３０°の角度に傾くように形成されている。
【００２８】
第２枠体２４の周壁２４１の外面には、図５に示すように、凹んで形成される溝部２４３全周に亘って形成されている。
【００２９】
第１取付部２１は、３つの取付ばね２１１で構成されている。３つの取付ばね２１１のそれぞれは、図４に示すように、ステンレスなどの材料によって、弾性を有する板状に形成されている。３つの取付ばね２１１のそれぞれは、第２取付部２２の第１枠体２３に固定される固定部と２１１ａと、断面形状がＶ字状に形成される弾性部２１１ｂとを備える。弾性部２１１ｂは、固定部２１１ａの下端に延設されている。３つの取付ばね２１１は、第１枠体２３の周壁２３１の円周上に等間隔に配置されている。固定部２１１ａは、固定ねじ２７１によって、第１枠体２３に固定される。本体２は、弾性部２１１ｂの弾性力によって、造営材が取付ばね２３と第１枠体２３の鍔部２３２との間に挟まれることで、造営材に固定される。
【００３０】
支持ばね２６は、板状に形成され、ベース２６０と押圧部２６１とを備える。ベース２６０と押圧部２６１とは、一体に形成されている。ベース２６０は、矩形状に形成され、板厚方向に挿通される固定ねじ２７２によって、第１枠体２３の周壁２３１に固定されている。押圧部２６１は、ベース２６０の上端に延設され、断面がＶ字状に形成されている。そして、押圧部２６１が第２枠体２４の突出部２４２を上方から押圧することで、支持ばね２６は、第２枠体２４が上方に移動しないように第２枠体２４を支持する。
【００３１】
なお、固定ねじ２７１，２７２のねじ部の先端は、第２枠体２４の溝部２４３に収納されている。
【００３２】
反射板４は、図５に示すように、上下方向の両端が開口する円筒状に形成され、アルミ蒸着などの方法によって、内面が光源モジュール１１から放射された光を反射するように加工されている。反射板４の上端の第１端面４１の面積は、下端の第２端面４２の面積よりも小さく形成されている。反射板４は、第２端面４２の径方向の中心が第１枠体２３の径方向の中心と同軸になるように、本体２の内部に収納されている。反射板４の第２端面４２付近の外面には、反射板４の径方向の中心から離れる方向に向かって突出する突出部４１１が全周に亘って形成されている。突出部４１１は、第１枠体２３の延部２３３の上面に配置され、弾性力によって、第１枠体２３の周壁２３１の内面を押圧することで、本体２に保持される。
【００３３】
反射板４は、左右方向から見て、後方に向かうに連れて、第１端面４１と第２端面４２との距離ｈ１が短くなるように形成されている。言い換えると、反射板４は、左右方向から見て、後方に向かうに連れて、出射面１６７と反射板４の第１端面４１の距離ｄ１が長くなるように第２取付部２２の内部に収納されている。さらに、反射板４の上部は、本体２の上端から突出するように本体２に収納されている。つまり反射板４の第１端面４１は、第２枠体２４の上端よりも上側に位置している。
【００３４】
連結部材３は、図１に示すように、光源部１と本体２とを連結する部材である。連結部材３は、図６に示すように、連結板３１と、取付具３２とを備える。
【００３５】
連結板３１は、上下方向に長尺な板状であって、上端と下端とが曲面に形成されている。連結板３１は、上下方向の中心よりも上側に、長孔状に形成される挿通孔３１１を備える。また、連結板３１は、上下方向の中心よりも下側に、ボルト２７３が挿通されるボルト挿通孔３１２が形成されている。挿通孔３１１には、取付具３２が挿通される。
【００３６】
取付具３２は、ねじであって、ねじ頭である頭部３２１とねじ部である軸３２２とで構成されている。頭部３２１は、軸３２２の軸方向の第１端３２２ａに設けられ、直径が軸３２２の直径よりも大きくなるように形成されている。また、軸３２２の第２端３２２ｂ側は、第１筐体１６のねじ孔１６３にねじ込まれる。
【００３７】
連結板３１は、第１筐体１６の外面に配置され、挿通孔３１１に挿通された取付具３２の軸３２２が第１筐体１６に形成されているねじ孔１６３にねじ込められることで、第１筐体１６に保持される。
【００３８】
また、連結板３１は、ボルト挿通孔３１２に挿通されたボルト２７３が第２取付部２２の固定部２５のボルト挿通孔２５４に挿通される。そして、ボルト２７３がナットによって締め付けられることで、連結板３１は、第２取付部２２に固定される。このようにして、連結部材３は、光源部１と本体２とを連結する。
【００３９】
オプションレンズ５について、図７Ａ、図７Ｂ、及び図８を参照して説明する。オプションレンズ５は、図７Ａ及び図７Ｂに示すように、第１筐体１６の出射面１６７に取り付けられ、光源部１と本体２との間に配置される。
【００４０】
オプションレンズ５は、図８に示すように、上下方向の両端が開口する円筒状に形成される周壁５１と、周壁５１の内部に収納されるルーバー５２とを備える。ルーバー５２は、光源モジュール１１から放射された光が、例えばユーザの視界に直接入らないようにするための部材である。周壁５１は、２つの第１ホルダ５１１と、２つの第２ホルダ５１２とを備える。２つの第１ホルダ５１１のそれぞれは、板状に形成され、周壁５１の上端から上方向に突出している。２つの第２ホルダ５１２のそれぞれは、板状であって、断面が周壁５１の内側に凹むＶ字状に形成されている。第２ホルダ５１２は、周壁５１から上方に向かうに連れて周壁５１の径方向の中心に向かって突出する基端部５１２ａと、周壁５１の径方向の中心から離れる方向に向かって延出する先端部５１２ｂとを備える。第２ホルダ５１２は、基端部５１２ａと先端部５１２ｂとを連結する接続部５１２ｃをさらに有する。第２ホルダ５１２は、それぞれが互いに前後方向に向かい合うように配置されている。また、第１ホルダ５１１は、２つの第２ホルダ５１２の間のそれぞれであって、前後方向の前側に配置されている。
【００４１】
ところで、図６に示すように、連結板３１の挿通孔３１１は、上下方向が長手方向となる長孔状に形成されている。したがって、取付具３２は、連結板３１に対して、挿通位置を上下に変更することができる。図１に示すように、取付具３２が挿通孔３１１の下端に挿通された場合における、出射面１６７と第２枠体２４の上端との距離を距離ｄ２１とする。また、図７Ａに示すように、取付具３２が挿通孔３１１の上端に挿通された場合における、出射面１６７と第２枠体２４の上端との距離を距離ｄ２２とする。
【００４２】
オプションレンズ５を使用しない場合、光源モジュール１１から放射された光ができるだけ漏れないように、出射面１６７と第２枠体２４の上端との距離ができるだけ短くする。つまり、出射面１６７と第２枠体２４の上端との距離ができるだけ短くなるように、取付具３２は挿通孔３１１の下端に挿通される（図１参照）。しかしながら、取付具３２が挿通孔３１１の下端に挿通された状態では、出射面１６７と第２枠体２４の状態との間にオプションレンズ５が取り付けられるための十分なスペースが確保できず、オプションレンズ５を筐体１３に取り付けることができない。そこで、図７Ａに示すように、取付具３２が挿通孔３１１の上端に挿通し、距離ｄ２２が距離ｄ２１よりも長くなることで、オプションレンズ５を取り付けるためのスペースを確保することができる。つまり、出射面１６７と第２枠体２４の上端との間には、オプションレンズ５を取り付けるために、距離ｄ２２を有するスペースが設けられている。
【００４３】
光源部１と本体２とが上下方向に対向している場合、取付具３２が連結板３１の挿通孔３１１の範囲で移動することができるので、光源部１は、本体２に対して上下方向に移動することができる。
【００４４】
このように、本実施形態の照明器具１０は、オプションレンズ５を使用しない場合、出射面１６７と第２枠体２４の上端との距離が短くなるので、漏れる光量が低減されて、光源モジュール１１から放射される光を効率よく用いることができる。さらに、オプションレンズ５を使用する場合、出射面１６７と第２枠体２４の上端との距離が長くなるので、オプションレンズ５を筐体１３に取り付けるためのスペースが確保される。したがって、本実施形態の照明器具１０は、出射面１６７と第２枠体２４の上端との距離を変更することで、オプションレンズ５の使用及び不使用に関係無く、光源モジュール１１が放射する光を効率よく用いることができる。
【００４５】
さらに、光源部１は、図７Ｂに示すように、本体２に対して、取付具３２の軸３２２の軸方向を中心に、回転することができる。ところで、上下方向における出射面１６７と反射板４の第１端面４１との距離ｄ１は、前方に向かうに連れて短くなる。そこで、規制リブ１６４は、図１に示すように、軸３２２の軸方向から見て、連結板３１に対して前側に形成されている。光源部１と本体２とが上下方向に対向している場合、連結板３１の側面が規制リブ１６４に当接することで、光源部１は、回転方向ｒ２（図７Ｂ参照）の回転を規制される。つまり、光源部１と本体２とが上下方向に対向している場合、光源部１は、回転方向ｒ１にのみ回転することができる。例えば、図７Ｂに示すように、光源部１は、オプションレンズ５の下端面が下向きの状態（図７Ｂの実線参照）からオプションレンズ５の下端面が前向きの状態（図７Ｂの２点鎖線参照）になるまで回転することができる。この場合、オプションレンズ５の下端面の後端は、軌跡ｔ１を辿る。
【００４６】
また、図９に示すように、オプションレンズ５の下端面が前向きの状態の場合、光源部１は、回転方向ｒ２に回転することができる。言い換えると、光源部１は、オプションレンズ５の下端面が前向きの状態からオプションレンズ５の下端面が下向きの状態になるまで回転する。この場合、オプションレンズ５は、規制ｔ１を辿る。
【００４７】
このように、光源部１は、軸３２２の軸方向を中心に、回転方向ｒ１及び回転方向ｒ２に回転することができる。また、光源部１は、規制リブ１６４によって回転が規制される。
【００４８】
なお、オプションレンズ５の下端面の後端は、光源部１が回転する場合、図７Ｂに示すように、軌跡ｔ１を辿るので、オプションレンズ５は、反射板４に接触することなく回転することができる。
【００４９】
オプションレンズ５の取り付け及び取り外しの方法について、図７Ａ、図７Ｂ、及び図９を参照して説明する。なお、取付具３２は、予め挿通孔３１１の下端で挿通されているとする（図１参照）。なお、下記の取付方法は、一例であって、これに限定されない。
【００５０】
作業者は、最初に取付具３２を第１筐体１６に対して緩めることで、光源部１が本体２に対して回転可能な状態にする。次に作業者は、取付具３２の軸３２２が挿通孔３１１の上端に接触するまで光源部１を上方向に持ち上げる。そして、作業者は、軸３２２の軸方向を中心に、レンズ１４の下面１４１が下向きから前向きになるように、回転方向ｒ１に９０°回転させる。オプションレンズ５の第１ホルダ５１１のそれぞれが、対応するガイドねじ１９に沿うように、かつ第２ホルダ５１２の接続部５１２ｃが切欠部１６６に嵌まり込むようにして、オプションレンズ５を前方から光源部１に取り付ける。最後に、作業者は、光源部１が基の位置に戻るように、回転方向ｒ２に９０°回転させる。そして、作業者は、軸３２２が挿通孔３１１の上端に接触する位置で、取付具３２を第１筐体１６に締め付ける（図７Ｂ参照）。
【００５１】
本実施形態の照明器具１０において、光源部１と本体２とが上下方向に対向している場合、光源部１が回転方向ｒ１に回転することで、出射面１６７の前方にオプションレンズ５を取り付けるための作業用スペースが確保される。したがって、作業者などはオプションレンズ５を、容易に取り付け及び取り外しすることができる。
【００５２】
さらに、連結板３１は、図１０に示すように、ボルト２７３の円筒部の軸を中心に、第１支持リブ２５２と第２支持リブ２５３との間で回転することができる。つまり、連結部材３は、本体２に対して、回転可能な角度範囲θ１の範囲で傾きを変化させることができる。光源部１は、図１に示すように、本体２に対して、上下方向に対向する位置で本体２に連結されてもよい。また、連結板３１の縁が第２支持リブ２５３に接触するようにして連結部材３が第２取付部２２に固定されることで、光源部１は、図１０に示すように、本体２に対して傾くように本体２に連結されてもよい。例えば、第２支持リブ２５３は、上下方向に対して３０°（角度範囲θ１＝３０°）傾いているとする。この場合、連結板３１は、第２支持リブ２５３に接触するまで回転することができ、連結板３１が第２支持リブ２５３に接触することで回転が規制される。この結果、光源部１は、本体２に対して、３０°傾く。このように、光源部１が本体２に対して角度範囲θ１の範囲で回転することで、光源モジュール１１から放射される光の光軸を上下方向に対して傾かせることができる。したがって、本実施形態の照明器具１０は、出射される光のグレアを軽減することができる。
【００５３】
なお、規制リブ１６４の形状は、本実施形態の形状に限定されない。
【００５４】
また、オプションレンズは、本実施形態のオプションレンズ５に限定されず、スプレッドレンズ、及びフィルタなどでもよい。
【００５５】
反射板４の上部は、本体２の上端から突出するように、本体２に収納される必要はない。
【００５６】
光源部１の回転範囲は、９０°に限定されず、光源部１は、オプションレンズ５が容易に取り付け及び取り外しできるスペースが確保できる角度にまで回転できればよい。また、角度範囲θ１は、３０°に限定されない。つまり、第２支持リブ２５３の形状は、本実施形態の形状に限定されない。
【００５７】
本実施形態の照明器具１０は、光源部１と、本体２と、連結部材３とを備える。光源部１は、光源（光源モジュール）１１と、光源モジュール１１を収納し、光源モジュール１１から放射される光を外部に出射する出射口１６１が形成された筐体１３とを有する。本体２は、造営材に取り付けられる第１取付部２１と、連結部材３が取り付けられる第２取付部２２とを有する。連結部材３は、第２取付部２２に取り付けられる連結板３１と、連結板３１を筐体１３に取り付ける取付具３２とを有する。取付具３２は、棒状の軸３２２と、軸３２２の軸方向の第１端３２２ａに設けられ、かつ軸３２２の直径よりも径の大きい頭部３２１を有する。取付具３２は、軸３２２の軸方向の第２端３２２ｂ側が筐体１３に保持されるように構成されている。連結板３１は、軸３２２が挿通される挿通孔３１１を有する。筐体１３は、連結部材３によって、出射口１６１を第２取付部２２に対向させるようにして、本体２と連結される。挿通孔３１１は、出射口１６１と第２取付部２２が対向する方向を長手方向とする長孔状に形成されている。取付具３２は、挿通孔３１１に挿通された軸３２２の第２端３２２ｂ側が筐体１３に保持されていることで、連結板３１を筐体１３に取り付けている。
【００５８】
本実施形態の照明器具１０は、上述のように構成されるので、光源モジュール１１が放射する光を効率よく用いることができるという効果がある。
【００５９】
本実施形態の照明器具１０において、連結板３１は、筐体１３の外面に取り付けられることが好ましい。筐体１３は、軸３２２の軸方向を中心に回転するように構成されていることが好ましい。光源部１は、筐体１３の外面から外部に向かって突出する規制リブ１６４をさらに備えることが好ましい。規制リブ１６４は、出射口１６１と第２取付部２２が対向しているときに連結板３１に接触して、筐体１３が一方向へ回転することを規制していることが好ましい。
【００６０】
本実施形態の照明器具１０が上述のように構成されると、連結板３１の側面が規制リブ１６４に当接することによって、筐体１３の回転方向ｒ２の向きの回転が規制される。したがって、作業者などが、光源部１と本体２とが上下方向に対向するように、容易に光源部１を本体２に固定することができる。
【００６１】
本実施形態の照明器具１０は、反射板４をさらに備えることが好ましい。反射板４は、第１端面４１の面積が第２端面４２の面積よりも小さい円筒状に形成されていることが好ましい。本体２は、筒状に形成されていることが好ましい。反射板４は、第１端面４１が出射口１６１に対向するように本体２に収納されていることが好ましい。出射口１６１が第２取付部２２と対向する第１方向（上下方向）と軸３２２の軸方向に直交する方向を第２方向（前後方向）とすることが好ましい。規制リブ１６４は、出射口１６１と第２取付部２２とが対向しているときに、軸方向から見て、連結板３１に対して、前後方向の一方側（前側）に形成されていることが好ましい。筐体１３の複数の外面のうち、出射口１６１が形成されている面を出射面１６７とした場合、上下方向における出射面１６７と第１端面４１との距離ｄ１は、前後方向の前側から他方側（後側）に向かうに連れて長くなる。
【００６２】
本実施形態の照明器具１０が上述のように構成されると、筐体１３が回転する場合、出射面１６７と反射板４とが接触しない。
【００６３】
本実施形態の照明器具１０の変形例について、図１１を用いて説明する。変形例の照明器具１０では、連結部材３Ａの連結板３１Ａの形状が上述の連結板３１の形状と相違する。なお、上述の実施形態と重複する構成については、同じ符号を付し、詳しい説明は省略する。
【００６４】
連結板３１Ａは、上下方向に沿った長孔３１３を有する挿通孔３１１Ａを備える。長孔３１３の上端の長手方向の左縁には、第１切欠３１４ａが形成されている。また、長孔３１３の下端の長手方向の左縁には、第２切欠３１４ｂが形成されている。
【００６５】
取付具３２が挿通孔３１１Ａの長孔３１３を上下方向に移動することができるので、光源部１は、本体２との距離を上下方向において変更することができる。さらに、取付具３２が第１切欠３１４ａおよび第２切欠３１４ｂで保持される。
【００６６】
変形例の照明器具１０では、挿通孔３１１Ａが第１切欠３１４ａ及び第２切欠け３１４ｂを備えているので、取付具３２にねじ加工が施される必要はない。さらに、ねじ加工が施されていない取付具３２を使用すれば、ねじ孔１６３の代わりに、ねじ溝が施されていない挿通孔が形成されればよい。したがって、筐体１３の加工が容易になる。
【００６７】
なお、切欠部の数は２つに限定されず、１つでも３つ以上でもよい。切欠け部の数が１つの場合、切欠け部は、長孔３１３の下端以外の場所に形成されている。
【００６８】
変形例の照明器具１０において、挿通孔３１１Ａは、出射口１６１と第２取付部２２が対向する方向を長手方向とする長孔３１３と、長孔３１３の長手方向に沿って、長孔３１３の縁部に形成された切欠３１４ａ、３１４ｂとを備えることが好ましい。
【００６９】
変形例の照明器具１０が上述のように構成されると、軸３２２にねじ加工が施されていない取付具３２を使用することができる。この結果、照明器具１０は、ねじ孔１６３にねじ溝を施す必要が無いので、筐体１３の加工が容易になる。
【符号の説明】
【００７０】
１  光源部
１０  照明器具
１１  光源モジュール（光源）
１３  筐体
１６１  出射口
１６４  規制リブ
１６７  出射面
２  本体
２１  第１取付部
２２  第２取付部
３  連結部材
３１  連結板
３１１  挿通孔
３１１Ａ  挿通孔
３１３  長孔
３１４ａ  第１切欠（切欠）
３１４ｂ  第２切欠（切欠）
３２  取付具
３２１  頭部
３２２  軸
３２２ａ  第１端
３２２ｂ  第２端
４  反射板
４１  第１端面
４２  第２端面
ｄ１  距離
【図１】
2018045868.tif 000003
【図２】
2018045868.tif 000004
【図３】
2018045868.tif 000005
【図４】
2018045868.tif 000006
【図５】
2018045868.tif 000007
【図６】
2018045868.tif 000008
【図７】
2018045868.tif 000009
【図８】
2018045868.tif 000010
【図９】
2018045868.tif 000011
【図１０】
2018045868.tif 000012
【図１１】
2018045868.tif 000013